(57)【要約】【課題】スパウトと上蓋の間への冷却水の浸入を確実に防止することができると共に、成形性にも優れた注出具を提供することである。【解決手段】環状の台座、該台座下端から外方に延びるフランジ部、及び該台座上端から上方に延び、外面に螺子部を有する注出筒とから成るスパウトと、頂板部及びスカート部から成り、該スパウトの螺子部に螺着する上蓋から成る注出具において、  前記上蓋のスカート部内面下端には、下方に行くに従って内径が増大するテーパ部が形成されていると共に、前記スパウトの台座外周面には、上蓋のテーパ部に圧着する環状突起、及びテーパ部よりも上方のスカート部内面と圧着する少なくとも１個の環状突条が形成されていることを特徴とする紙製容器用注出具。【選択図】図１
2008137664.tif 000002
【特許請求の範囲】
【請求項１】
環状の台座、該台座下端から外方に延びるフランジ部、及び該台座上端から上方に延び、外面に螺子部を有する注出筒とから成るスパウトと、頂板部及びスカート部から成り、該スパウトの螺子部に螺着する上蓋から成る注出具において、
前記上蓋のスカート部内面下端には、下方に行くに従って内径が増大するテーパ部が形成されていると共に、前記スパウトの台座外周面には、上蓋のテーパ部に圧着する環状突起、及びテーパ部よりも上方のスカート部内面と圧着する少なくとも１個の環状突条が形成されていることを特徴とする紙製容器用注出具。
【請求項２】
前記台座が、小径の上部及び大径の下部の２つの部分から成り、前記環状突起及び環状突条が小径の上部に形成されており、閉蓋時において上部及び下部の上端面に上蓋のスカート部下端が位置する請求項１記載の紙製容器用注出具。
【請求項３】
前記注出筒内側には、破断可能なスコアの破断によりスパウトから除去可能な封止部が形成されている請求項１又は２記載の紙製容器用注出具。
【発明の詳細な説明】
【技術分野】
【０００１】
本発明は、紙製容器用注出具に関し、より詳細には、高温充填後の冷却水がスパウトと上蓋内面の間に浸入することが有効に防止された紙製容器用注出具に関する。
【背景技術】
【０００２】
従来より、内容液の注出性や或いはリシール性等の機能を高めるために、紙製容器にプラスチック製の注出具が取り付けられており、このような注出具は、一般的には、紙製容器に溶着固定されるスパウトと、このスパウトに螺着可能な上蓋との組み合わせからなっている。
上記のような注出具が取り付けられた紙製容器においては、内容物として果汁入り飲料、コーヒー等の製品では約９０℃、焼酎、日本酒等の製品では約７０℃の高温で内容物を充填した後、パストライザー等でシャワー冷却されるため、注出具の内部が負圧となり、その結果、注出具内に吸い込まれた冷却水がスパウトと上蓋の間に溜まってしまい、衛生性の点から改善されることが望まれていた。
【０００３】
このような問題を解決するために、上蓋（キャップ）とスパウトから成る注出具（口栓）において、上蓋の周壁（スカート部）の下面にスパウトの台座リングのコンタクト封止リングに密接する封止溝リングを設けることが提案されている（特許文献１）。
【０００４】
【特許文献１】特開２００３−３３５３５６号公報
【発明の開示】
【発明が解決しようとする課題】
【０００５】
上記特許文献に記載された注出具のように上蓋スカート部下面に凹部を形成し、台座に形成されたリングを係合させるには、寸法精度の問題もあり、シールの確実性や成形性の点で未だ十分満足するものではない。
また、一般に上蓋及びスパウトから成る注出具においては、超音波加熱、高周波加熱等によりスパウトを加熱溶融することにより紙製容器に溶着固定させていることから、加熱の影響によりスパウトが収縮し、かかる収縮は内容物を熱間充填する場合にも生じるため、特にスパウトの台座部分及び上蓋スカート部下端において隙間が形成される。このため上記特許文献に記載された注出具のように、スパウトの台座付近で上蓋及びスパウトを係合させるものでは、収縮により上蓋のスカート部下面及びスパウトの台座に設けられた係合が必ずしも十分に機能されずに、冷却水の浸入を確実に阻止することができない。
更に、紙製容器はそれ自体可撓性を有すると共に、一般に所定の形状（直方体型、或いは直方体の上部に屋根がついた形状等）に折り曲げられて成形されるため、スパウトが取り付けられる部分が必ずしも平坦になっていないことがあり、このような場合には、装着されたスパウトも追従するように曲げられるため、やはり上蓋下端とスパウトの間に隙間が開き、上記特許文献に記載された注出具では、確実に冷却水の浸入を阻止し得るシール性を確保することは困難である。
【０００６】
従って本発明の目的は、スパウトと上蓋の間への冷却水の浸入を確実に防止することができると共に、成形性にも優れた注出具を提供することである。
【課題を解決するための手段】
【０００７】
本発明によれば、環状の台座、該台座下端から外方に延びるフランジ部、及び該台座上端から上方に延び、外面に螺子部を有する注出筒とから成るスパウトと、頂板部及びスカート部から成り、該スパウトの螺子部に螺着する上蓋から成る注出具において、前記上蓋のスカート部内面下端には、下方に行くに従って内径が増大するテーパ部が形成されていると共に、前記スパウトの台座外周面には、上蓋のテーパ部に圧着する環状突起、及びテーパ部よりも上方のスカート部内面と圧着する少なくとも１個の環状突条が形成されていることを特徴とする紙製容器用注出具が提供される。
本発明の注出具においては、
１．台座が、小径の上部及び大径の下部の２つの部分から成り、前記環状突起及び環状突条が小径の上部に形成されており、閉蓋時において上部及び下部の上端面に上蓋のスカート部下端が位置すること、
２．注出筒内側には、破断可能なスコアの破断によりスパウトから除去可能な封止部が形成されていること、
が好適である。
【発明の効果】
【０００８】
本発明の注出具においては、上蓋スカート部内面下端と弾性を有する突起によりシール性を確保するため、スパウトを紙製容器へ溶着固定する際の加熱によって収縮が生じた場合にも、シール性が損なわれることがなく、確実に冷却水の浸入を防止することができる。
また本発明の注出具における冷却水浸入防止のためのシールは、突起が上蓋スカート部内面下端のテーパ部で斜め上方から押圧するように圧着されているため、凹凸の嵌合によるシールなどに比して優れたシール性を発現することが可能であり、しかも開栓時の開栓トルクを上昇することもない。
更に、環状突起よりも上部に少なくとも１個の環状突条が形成され、かかる環状突条が上蓋スカート部内面と密着することによって、更にシール性を高めることが可能となるのである。
更にまた、スパウトを取り付ける紙製容器が変形した場合でも、テーパ部に圧着する環状突起に加えてその上部に設けられた環状突条により、確実なシール性を確保することができる。
【０００９】
また本発明においては、冷却水の浸入を阻止するシール部が、スパウトの紙製容器への溶着部位であるフランジ部から離れているため、溶着の際の収縮にあまり影響を受けることがなく、厳密な寸法精度を要しないため、仮に当該部位に収縮が生じたとしても、優れたシール性を発現することが可能である。
また本発明の注出具においては、冷却水浸入防止のためのシール部分の賦形も容易であり、成形性にも優れている。
【発明を実施するための最良の形態】
【００１０】
本発明の注出具を添付図面に基づいて説明する。
図１は、本発明の注出具の一例の側断面図であり、（Ａ）は全体図、（Ｂ）は（Ａ）のシール部分を拡大して示す図であり、また図２は、図１に示す注出具のスパウト部分の側面図である。
全体を１で示す注出具は、概略的に言って、紙製容器に固定されるスパウト２と、スパウト２に螺着して脱着可能な上蓋３から成っている。
スパウト２は、環状の台座２０、台座２０の下端から外方に延びるフランジ部２１、及び台座２０の上端から上方に延び、外面に螺子部２２を有する注出筒２３が、一体的に成っている。
【００１１】
図１に示すスパウトにおいては、台座２０は、小径の上部２０ａ及び大径の下部２０ｂの２つの径の異なる部分から成っており、下部台座２０ｂの環状上端面２４に、後述する上蓋３のスカート部下端が位置するように形成されている。
また注出筒の内部には、スコア２５を破断することにより注出筒２３から除去可能な封止部２６が形成されており、開封用把持部２７を引き上げてスコア２５を破断すると、封止部２６が注出筒２３から取り除かれ、内容物の流出が可能となる。
上蓋３は、頂板部３１、及び頂板部３１の周縁から垂下するスカート部３２から成り、頂板部３１の内面にはインナーリング３３が形成されていると共に、スカート部内面には螺子部３４が形成されている。
【００１２】
本発明の注出具は、上記基本構造を有する注出具において、上蓋３のスカート部３２の内面下端に、下方に行くに従って内径が増大するテーパ部３５が形成されていること、及びスパウト２の台座２０、図に示す具体例では、上部台座２０ａを小径の上部２０ａ１及び大径の下部２０ａ２として形成し、下部２０ａ２の外周面に上蓋３のテーパ部３５に圧着する環状突起２８、及び上部２０ａ１の外周面にスカート部内面と圧着する少なくとも１個の環状突条２９、図に示す具体例では２個の環状突条２９，２９が形成されていることが重要な特徴である。
すなわち、本願発明においては、スパウトを紙製容器に溶着する際の加熱によって、キャップが収縮した場合にも、半径方向外方に突出した環状突起２８が形成されているため、閉蓋状態で上蓋３のスカート部３２を半径外側に押圧することができると共に、一方上蓋スカート部３２の内面下端に形成されたテーパ部３５は、下方に行くに従って内径が増大するテーパ面を有しているため、上蓋３をスパウト２に螺着していくと、弾性を有する環状突起２８を斜め上方から押圧するように圧着し、シール面積を大きくすることができ、これらの両作用が相俟って閉蓋時において優れたシール性を発現することが可能になるのである。
【００１３】
更に、環状突起２８よりも上部に少なくとも１個の環状突条２９が形成されていることにより、かかる環状突条２９が上蓋スカート部３２の内面と密着し、上記環状突起２８によるシールと相俟って、更にシール性を高めることが可能になると共に、万が一、環状突起２８の弾性が低下して上蓋テーパ部３５との接触力が低下した場合にも、環状突条２９が存在することにより、水の浸入を防止することが可能となるのである。
【００１４】
本発明においては、環状突起２８が弾性を有していることが好適であり、これにより閉蓋時において上蓋のテーパ部３５により押圧された環状突起２８が復元しようとすることによって、環状突起２８とテーパ面３５が圧着して、優れた液密性が確保される。またシール箇所が傾斜面であることから、シール面積が大きいにもかかわらず、開栓時の開栓トルクの上昇を回避することができる。
このような環状突起としては、上部台座２０ａから半径方向に突出した薄肉の環状突起であることが好適である。
スパウトの環状突起の突起先端における外径ＤＳＯ１と、閉栓時における上蓋テーパ部の環状突起が当接する位置における内径ＤＣ１は、ＤＳＯ１＞ＤＣ１の関係にあることが重要であり、特にＤＳＯ１−ＤＣ１＝０．２〜０．８ｍｍの範囲にあることが、開閉時のトルクを上昇させることなく、シール性を確実に維持する上で好適である。
またテーパ部の寸法はスパウトの大きさによって異なり一概に規定できないが、軸方向との角度が２０乃至７０°の範囲にあることが好適である。
スパウトの環状突条の先端における外径ＤＳＯ２と、上蓋スカート部の内径ＤＣ２も、ＤＳＯ２＞ＤＣ２の関係にあることが重要であり、特にＤＳＯ２−ＤＣ２＝０．２〜０．８ｍｍの範囲にあることが、開閉時のトルクを上昇させることなく、シール性を確実に維持する上で好適である。
【００１５】
本発明の注出具は、スパウト及び上蓋をそれぞれ、射出成形、圧縮成形等の従来公知の成形法により成形し、これを組み合わせることによって製造することができる。
スパウト及び上蓋を構成する樹脂としては、従来この種の注出具に使用されていた樹脂を制限なく使用することができるが、本発明においては特に環状突起の成形性、シール性等の点から、低密度ポリエチレンからなるスパウト、ポリプロピレンから成る上蓋の組み合わせを好適に使用することができる。
【００１６】
また本発明の注出具を適用し得る紙製容器としては、図３に示すような、直方体の上部に屋根がついた所謂ゲーブルトップ型容器４の形状等、従来公知のすべての紙製容器に適用できるが、少なくともスパウトを溶着固定する位置において、ポリエチレン等のヒートシール性の樹脂被覆が形成された紙製容器であることが好適である。
また本発明の注出具は、上述したように、スパウトが収縮した場合にも、スパウトに形成された環状突起が上蓋を半径方向外側に押圧する状態を維持していると共に、シール面積が大きく、シール性に優れているという利点を有している。従って、減圧によりスパウトを取り付ける部分が平坦にならず、スパウトがこの面に追従して曲げられている場合でも、冷却水の浸入を阻止するシール部分は、優れたシール性を確保することができるため、内容物の種類や紙製容器の形状等にかかわらず適用することができる。
【図面の簡単な説明】
【００１７】
【図１】本発明の注出具の一例の側断面図であり、（Ａ）は全体図、（Ｂ）は（Ａ）のシール部分を拡大して示す図である。
【図２】図１に示す注出具のスパウト部分の側面図である。
【図３】本発明の注出具の一例が紙製容器に適用された状態を示す斜視図である。
【符号の説明】
【００１８】
１  注出具、２  スパウト、３  上蓋、２０  台座、２１  フランジ部、
２２  螺子部、  ２３  注出筒、２５  スコア、２６  封止部、
２７  開封用把持部、２８  環状突起、２９  環状突条、３１  頂板部、
３２  スカート部、３３  インナーリング、３４  螺子部、３５  テーパ部。
【図１】
2008137664.tif 000003
【図２】
2008137664.tif 000004
【図３】
2008137664.tif 000005